(57)【要約】【課題】極く簡単な操作で石突を杖のシャフト先端から着脱可能な杖の石突着脱構造の提供。【解決手段】初期状態においてバネ１３により石突方向及び一方の回転方向に付勢されている棒状部材１２の第１の被係止部１２ａを筒状部材１１の第１の係止部１１ａが係止して弾性部材１４が石突の内壁に圧接しない第１の状態を保持し、石突方向に杖を所定量押したときに、筒状部材が石突方向に移動し棒状部材が石突とは反対の方向に移動して、第１の状態を解除し、筒状部材の先端を介して弾性部材を弾性変形させて石突の内壁に圧接した第２の状態にするとともに、棒状部材の第２の被係止部１２ｂを筒状部材の第２の係止部１１ｂが係止して第２の状態を保持し、第２の状態において弾性部材を含む先端部を他方の回転方向に回したときに、棒状部材が石突方向及び一方の回転方向に移動して第２の状態を解除し、第１の状態に復帰する。【選択図】図１
2019115412.tif 000002
【特許請求の範囲】
【請求項１】
杖のシャフト先端の内部に挿入可能で、壁面を開口されてなる第１及び第２の係止部と、その先端近傍の所定位置に杖のシャフト先端の端面と当接する当接部を有する筒状部材と、
前記筒状部材の内部を往復移動可能に取り付けられていて、第１及び第２の被係止部を有し、その先端が前記筒状部材の先端よりも石突側に伸び、且つ、その先端に鍔部を有する棒状部材と、
前記筒状部材と前記棒状部材とに接続し、前記棒状部材を石突方向及び一方の回転方向に付勢するバネと、
前記棒状部材の先端と前記筒状部材の先端との間に設けられていて、初期状態では石突の内壁に圧接せず、弾性変形させられたときに石突の内壁に圧接しうる弾性部材を備え、
前記弾性部材を含む先端部で石突を着脱させる、杖の石突着脱構造であって、
初期状態において、前記バネにより石突方向及び一方の回転方向に付勢されている前記棒状部材の第１の被係止部を前記筒状部材の第１の係止部が係止して、前記弾性部材が石突の内壁に圧接しない第１の状態を保持し、
石突方向に杖を所定量押したときに、前記筒状部材が石突方向に移動し、前記棒状部材が石突とは反対の方向に移動して、前記第１の状態を解除し、前記筒状部材の先端を介して前記弾性部材を弾性変形させて石突の内壁に圧接した第２の状態にするとともに、前記棒状部材の第２の被係止部を前記筒状部材の第２の係止部が係止して、前記第２の状態を保持し、
前記第２の状態において前記弾性部材を含む先端部を他方の回転方向に回したときに、前記棒状部材が石突方向及び一方の回転方向に移動して、前記第２の状態を解除し、前記第１の状態に復帰することを特徴とする杖の石突着脱構造。
【請求項２】
前記第２の被係止部は、石突とは反対側に向かって高さが低くなるように傾斜した傾斜面と、前記第２の係止部に係止される被係止面を有し、前記棒状部材の内部から第２のバネにより突出方向に付勢されていて、前記棒状部材による石突とは反対の方向への移動に際し、前記傾斜面が前記第２の係止部に押圧されて押し込まれ、前記第２の係止部による押圧が解除されたときに突出し、前記被係止面が前記第２の係止部に係止されることを特徴とする請求項１に記載の杖の石突着脱構造。
【請求項３】
前記弾性部材は、前記棒状部材に遊嵌され、且つ、その両端が前記筒状部材の先端の端面と前記棒状部材の先端の前記鍔部に当接しうる管状のゴム部材からなることを特徴とする請求項１又は２に記載の杖の石突着脱構造。
【請求項４】
前記筒状部材は、前記当接部より石突側の先端に、石突側に向かって径が小さくなる円錐台形状の押圧部を有し、
前記弾性部材は、前記棒状部材の先端の前記鍔部に固定された、ホゾ状のゴム部材からなることを特徴とする請求項１又は２に記載の杖の石突着脱構造。
【請求項５】
請求項１〜４のいずれかに記載の杖の石突着脱構造を備えた杖の石突着脱ユニット。
【請求項６】
杖のシャフト先端の内部に対し着脱可能な着脱機構を備えたことを特徴とする請求項５に記載の杖の石突着脱ユニット。
【請求項７】
前記着脱機構は、前記筒状部材の石突とは反対側の端部に固定された雄螺子部と、その内部に前記雄螺子部に螺合する雌螺子部を有し、且つ、その外形が石突側に向かって径が小さくなる円錐台形状に形成された第１のテーパ部材と、前記雄螺子部における、前記筒状部材の石突とは反対側の端部と前記第１のテーパ部材との間に遊嵌され、両端部がホゾ状の開口を有する筒状の拡張部材と、前記雄螺子部における、前記筒状部材の石突とは反対側の端部と前記拡張部材との間に遊嵌されていて、その外形が石突とは反対側に向かって径が小さくなる円錐台形状に形成された第２のテーパ部材を有してなることを特徴とする請求項６に記載の杖の石突着脱ユニット。
【請求項８】
請求項１〜４のいずれかに記載の杖の石突着脱構造を備えたことを特徴とする杖。
【請求項９】
請求項５〜７のいずれかに記載の杖の石突着脱ユニットを備えたことを特徴とする杖。
【発明の詳細な説明】
【技術分野】
【０００１】
本発明は、杖のシャフト先端に対し石突部を着脱する杖の石突着脱構造及びそれを備えた杖の石突着脱ユニット、並びにそれらを備えた杖に関する。
【背景技術】
【０００２】
一般に、杖は身体の支えを必要とする人間が歩行する際の補助器具として使用される。例えば図６(a)に示すように、杖２０は柄２１とシャフト２２を有し、杖のシャフト先端２２ａには、図６(b)に示すように、路面と接触するための石突３０が取り付けられる。
石突は、硬質のゴム材料で形成され、路面との接触する面には、路面に対する滑りを防止する為の溝（不図示）が形成されている。
ところで、杖をある程度使用すると、石突が路面との接触を繰り返すことにより次第に溝が磨耗し、あるいは傷がつき、路面に対する滑り防止効果が減ってくる。路面に対する滑り防止効果がないほどに溝が磨耗し、あるいは傷がついた状態の石突が取り付けられた杖を使用することは危険であるため、杖のシャフト先端に取り付けられた石突は傷や磨耗の状態に応じて新しい石突に交換することが必要となる。
【０００３】
しかし、石突は、杖の使用中に外れてしまうと危険であるため、内周面が杖のシャフト先端の外周面に密着した状態で装着されている。加えて、石突を引っ張るとゴム材料が収縮して内周面が杖のシャフト先端の外周面をさらに押圧するため、杖の使用者が石突を杖のシャフト先端から抜くことは難しい。
【０００４】
このため、従来、杖のシャフト先端に取り付けられた石突を交換するには、例えば、本件発明者が創作した次の特許文献１に記載の石突を取外すための専用の器具を用いる必要があった。
特許文献１に記載の器具は、図７に示すように、踏み板部５１と引っ掛け溝５２を有し、使用に際し、踏み板部５１を足で踏みつけながら、引っ掛け溝５２を形成する部位の下側の面に杖５３のシャフト先端の石突５４が当たるように、引っ掛け溝５２の内部に杖５３のシャフトを挿入し、杖５３を上方に引っ張りあげることにより、石突５４を杖５３のシャフト先端から抜き出すことができるように構成されている。
【０００５】
しかし、特許文献１に記載のような石突を取外すための専用の器具は、デパート内における杖の販売店舗や、石突を交換する専門業者等、備えられている場所が限られており、一般の杖の使用者には普及していない。
また、内周面が杖のシャフト先端の外周面に密着した状態で装着されるように形成された石突を、杖のシャフト先端に取り付けることは容易ではない。しかも、杖の使用者は、力を必要とする操作や複雑な操作をすることに制約を受けている場合が多い。
【０００６】
そこで、杖の使用者は、石突を交換する必要が生じた場合には、取外し専用の器具が備えられているデパート内の店舗等に行くか、あるいは、石突の突いた杖を専門業者に送る必要があった。
【０００７】
しかし、取外し専用の器具が備えられているデパート内の店舗等は少ないため、石突の交換に行くことができる杖の使用者は限られてしまう。また、杖の使用者にとっては、石突を交換するために、取外し専用の器具が備えられている場所へ行くことは大きな負担となり易い。
また、専門業者に杖を送った場合、専門業者から新しい石突に交換された杖が返送されるまでの間、杖の使用者は、予備の杖を使用しなければならないため、不便を強いられる。
【０００８】
その結果、杖の使用者は、路面に対する滑り防止効果がないほどに溝が磨耗し、あるいは傷がついた状態の石突を新しい石突に交換できずに、そのまま使用することを余儀なくされる場合があった。
このため、杖の使用者が器具を用いずに自らの操作で簡単に石突を交換できるようにする技術が求められている。
【０００９】
しかるに、従来、器具を用いずに石突の交換を容易にすることを目的とした杖が、例えば、次の特許文献２に記載されている。
特許文献２に記載の杖では、例えば、図８に示すように、杖のシャフト６１の先端に、ゴム弾性材からなる弾性部材６２を、外周に凸部６３ａを有する取付部６３の内側に嵌め込んだ状態に固定するとともに、硬質プラスチック等の樹脂からなる石突６４を、弾性部材６２を挿入可能な内径を有し、且つ、弾性部材６２が石突６４に挿入された状態で凸部６３ａと係合する凹部６４ａを内壁に有するように構成している。
【先行技術文献】
【特許文献】
【００１０】
【特許文献１】意匠登録第１３７２５９号公報
【特許文献２】特開２０１５−１９８６８４号公報
【発明の概要】
【発明が解決しようとする課題】
【００１１】
しかし、特許文献１に記載の杖は、弾性部材６２が石突６４の内周面に密着する形状に形成され、しかも、石突６４は硬質プラスチック等の樹脂で形成されているため、石突６４を弾性変形させて、取付部６３の凸部６３ａとの係合を解除して、弾性部材６２から取り外すことが容易ではない。
【００１２】
しかも、特許文献２に記載の杖は、弾性部材６２や取付部６３の凸部６３ａに合わせて、石突６４の内径や凹部６４ａを形成する必要があり、一般に使用されている石突の交換に用いることができず、汎用性がない。
【００１３】
また、汎用性を考慮すれば、杖の使用者が従来から一般に使用している石突に加えて、従来から一般に使用している杖のシャフトをそのまま用いて、石突の交換を容易にすることが望まれるが、現在、そのような技術は開発されていない。
【００１４】
本発明は上記従来の課題に鑑みてなされたものであり、極く簡単な操作で石突を杖のシャフト先端から着脱可能であり、しかも、従来一般的に使用されている石突と同じ規格の石突を用いることができ、さらには、従来一般的に使用されている杖にも適用可能で汎用性の高い、杖の石突着脱構造及びそれを備えた杖の石突着脱ユニット、並びにそれらを備えた杖を提供することを目的としている。
【課題を解決するための手段】
【００１５】
上記の目的を達成するために、本発明による杖の石突着脱構造は、杖のシャフト先端の内部に挿入可能で、壁面を開口されてなる第１及び第２の係止部と、その先端近傍の所定位置に杖のシャフト先端の端面と当接する当接部を有する筒状部材と、前記筒状部材の内部を往復移動可能に取り付けられていて、第１及び第２の被係止部を有し、その先端が前記筒状部材の先端よりも石突側に伸び、且つ、その先端に鍔部を有する棒状部材と、前記筒状部材と前記棒状部材とに接続し、前記棒状部材を石突方向及び一方の回転方向に付勢するバネと、前記棒状部材の先端と前記筒状部材の先端との間に設けられていて、初期状態では石突の内壁に圧接せず、弾性変形させられたときに石突の内壁に圧接しうる弾性部材を備え、前記弾性部材を含む先端部で石突を着脱させる、杖の石突着脱構造であって、初期状態において、前記バネにより石突方向及び一方の回転方向に付勢されている前記棒状部材の第１の被係止部を前記筒状部材の第１の係止部が係止して、前記弾性部材が石突の内壁に圧接しない第１の状態を保持し、石突方向に杖を所定量押したときに、前記筒状部材が石突方向に移動し、前記棒状部材が石突とは反対の方向に移動して、前記第１の状態を解除し、前記筒状部材の先端を介して前記弾性部材を弾性変形させて石突の内壁に圧接した第２の状態にするとともに、前記棒状部材の第２の被係止部を前記筒状部材の第２の係止部が係止して、前記第２の状態を保持し、前記第２の状態において前記弾性部材を含む先端部を他方の回転方向に回したときに、前記棒状部材が石突方向及び一方の回転方向に移動して、前記第２の状態を解除し、前記第１の状態に復帰することを特徴としている。
【００１６】
また、本発明の杖の石突着脱構造においては、前記第２の被係止部は、石突とは反対側に向かって高さが低くなるように傾斜した傾斜面と、前記第２の係止部に係止される被係止面を有し、前記棒状部材の内部から第２のバネにより突出方向に付勢されていて、前記棒状部材による石突とは反対の方向への移動に際し、前記傾斜面が前記第２の係止部に押圧されて押し込まれ、前記第２の係止部による押圧が解除されたときに突出し、前記被係止面が前記第２の係止部に係止されるのが好ましい。
【００１７】
また、本発明の杖の石突着脱構造においては、前記弾性部材は、前記棒状部材に遊嵌され、且つ、その両端が前記筒状部材の先端の端面と前記棒状部材の先端の前記鍔部に当接しうる管状のゴム部材からなるのが好ましい。
【００１８】
また、本発明の杖の石突着脱構造においては、前記筒状部材は、前記当接部より石突側の先端に、石突側に向かって径が小さくなる円錐台形状の押圧部を有し、前記弾性部材は、前記棒状部材の先端の前記鍔部に固定された、ホゾ状のゴム部材からなるのが好ましい。
【００１９】
また、本発明による杖の石突着脱ユニットは、上記本発明のいずれかの杖の石突着脱構造を備えたことを特徴としている。
【００２０】
また、本発明の杖の石突着脱ユニットにおいては、杖のシャフト先端の内部に対し着脱可能な着脱機構を備えるのが好ましい。
【００２１】
また、本発明の杖の石突着脱ユニットにおいては、前記着脱機構は、前記筒状部材の石突とは反対側の端部に固定された雄螺子部と、その内部に前記雄螺子部に螺合する雌螺子部を有し、且つ、その外形が石突側に向かって径が小さくなる円錐台形状に形成された第１のテーパ部材と、前記雄螺子部における、前記筒状部材の石突とは反対側の端部と前記第１のテーパ部材との間に遊嵌され、両端部がホゾ状の開口を有する筒状の拡張部材と、前記雄螺子部における、前記筒状部材の石突とは反対側の端部と前記拡張部材との間に遊嵌されていて、その外形が石突とは反対側に向かって径が小さくなる円錐台形状に形成された第２のテーパ部材を有してなるのが好ましい。
【００２２】
また、本発明による杖は、上記本発明のいずれかの杖の石突着脱構造を備えたことを特徴としている。
【００２３】
また、本発明による杖は、上記本発明のいずれかの杖の石突着脱ユニットを備えたことを特徴としている。
【発明の効果】
【００２４】
本発明によれば、極く簡単な操作で石突を杖のシャフト先端から着脱可能であり、しかも、従来一般的に使用されている石突と同じ規格の石突を用いることができ、さらには、従来一般的に使用されている杖にも適用可能で汎用性の高い、杖の石突着脱構造及びそれを備えた杖の石突着脱ユニット、並びにそれらを備えた杖が得られる。
【図面の簡単な説明】
【００２５】
【図１】本発明の第１実施形態にかかる杖の石突着脱構造及びそれを備えた杖の石突着脱ユニットの構成を概略的に示す説明図で、(a)は正面図、(b)は(a)に示した一部の部材を示す図、(c)は(a)に示した他の部材を示す図である。
【図２】本発明の第１実施形態にかかる杖の石突着脱構造及びそれを備えた杖の石突着脱ユニットを備えた杖を示す説明図で、(a)は石突を取り付けていない状態を示す図、(b)は石突を取り付けた状態を示す図である。
【図３】図１の杖の石突着脱構造及びそれを備えた杖の石突着脱ユニットにおける石突を取り外すときの状態の変化を示す図で、(a)は第２の状態が保持された状態を示す図、(b)は第２の状態が保持されながら弾性部材を含む先端部を他方の回転方向に回した状態を示す図、(c)は第２の状態が解除される位置まで弾性部材を含む先端部を他方の回転方向に回した状態を示す図、(d)は第２の状態が解除された始めの状態を示す図、(e)は第２の状態が解除されてから第１の状態になるまでの途中の状態を示す図、(f)は第１の状態に復帰した状態を示す図である。
【図４】本発明の第２実施形態にかかる杖の石突着脱構造及びそれを備えた杖の石突着脱ユニットにおける特徴的な構成を概略的に示す部分説明図である。
【図５】本発明の第３実施形態にかかる杖の石突着脱構造及を備えた杖の石突着脱ユニットにおける特徴的な構成を概略的に示す説明図である。
【図６】従来一般に用いられている杖の外観を示す説明図で、(a)は石突を取り付けていない状態を示す図、(b)は石突を取り付けた状態を示す図である。
【図７】特許文献１に記載の取外し専用の器具を示す説明図で、(a)は上面図、(b)は使用状態を示す要部側面図である。
【図８】特許文献２に記載の構成を示す説明図で、(a)は杖のシャフト先端の要部構成を示す断面図、(b)は石突の断面図、(c)は杖のシャフト先端を石突に取り付けたときの状態を示す断面図である。
【発明を実施するための形態】
【００２６】
実施形態の説明に先立ち、本発明の作用効果について説明する。
本発明の杖の石突着脱構造は、杖のシャフト先端の内部に挿入可能で、壁面を開口されてなる第１及び第２の係止部と、その先端近傍の所定位置に杖のシャフト先端の端面と当接する当接部を有する筒状部材と、筒状部材の内部を往復移動可能に取り付けられていて、第１及び第２の被係止部を有し、その先端が筒状部材の先端よりも石突側に伸び、且つ、その先端に鍔部を有する棒状部材と、筒状部材と棒状部材とに接続し、棒状部材を石突方向及び一方の回転方向に付勢するバネと、棒状部材の先端と筒状部材の先端との間に設けられていて、初期状態では石突の内壁に圧接せず、弾性変形させられたときに石突の内壁に圧接しうる弾性部材を備え、弾性部材を含む先端部で石突を着脱させる、杖の石突着脱構造であって、初期状態において、バネにより石突方向及び一方の回転方向に付勢されている棒状部材の第１の被係止部を筒状部材の第１の係止部が係止して、弾性部材が石突の内壁に圧接しない第１の状態を保持し、石突方向に杖を所定量押したときに、筒状部材が石突方向に移動し、棒状部材が石突とは反対の方向に移動して、第１の状態を解除し、筒状部材の先端を介して弾性部材を弾性変形させて石突の内壁に圧接した第２の状態にするとともに、棒状部材の第２の被係止部を筒状部材の第２の係止部が係止して、第２の状態を保持し、第２の状態において弾性部材を含む先端部を他方の回転方向に回したときに、棒状部材が石突方向及び一方の回転方向に移動して、第２の状態を解除し、第１の状態に復帰する。
【００２７】
本発明の杖の石突着脱構造のようにすれば、石突を取り付ける際には、杖の使用者は、杖に体重をかけて石突方向に押すだけで、簡単に石突を固定した状態に取り付けることができる。
また、石突を取り外す際には、杖の使用者は、一方の手で杖のシャフト先端部分を把持し、他方の手で、石突が取り付けられている部位、詳しくは、弾性部材を含む棒状部材の先端部を把持しながら、棒状部材１２を他方の回転方向に回すだけで、簡単に石突を取り外すことができる。
そして、杖の使用者は、極く簡単な操作で石突の着脱を容易に行うことができる結果、取外し専用の器具が備えられている場所へ行ったり、専門業者に杖を送ったりする必要がなくなり、肉体的な負担が軽減され、また、石突の交換を依頼している間、予備の杖を使用しなければならない不便さから解放される。
【００２８】
また、本発明の杖の石突着脱構造のようにすれば、弾性部材を弾性変形させて石突の内壁に圧接した状態にすることができるため、特許文献２に記載の杖のような、石突の径を大きくし、あるいは凹部を形成する等、従来一般に用いられている石突とは異なる特別な構造や規格の石突を用いる必要がなく、従来の石突と同じ規格の石突を用いることができる。
【００２９】
また、本発明の杖の石突着脱構造のようにすれば、杖のシャフト先端の内部に挿入できる構成となっているため、従来一般的に使用されている杖にも適用できる。そして、従来一般的に使用されている杖に適用することで、一般的な石突を用いた杖を使用している多数の杖の使用者が、極く簡単な操作で石突を杖のシャフト先端から着脱可能な本発明の効果を得ることができるようになる。
【００３０】
また、本発明の杖の石突着脱構造においては、第２の被係止部は、石突とは反対側に向かって高さが低くなるように傾斜した傾斜面と、第２の係止部に係止される被係止面を有し、棒状部材の内部から第２のバネにより突出方向に付勢されていて、棒状部材による石突とは反対の方向への移動に際し、傾斜面が第２の係止部に押圧されて押し込まれ、第２の係止部による押圧が解除されたときに突出し、被係止面が第２の係止部に係止されるのが好ましい。
【００３１】
このようにすれば、石突を取り付けて、その状態を保持するために行う、杖を石突方向に押す操作がし易くなる。
【００３２】
また、本発明の杖の石突着脱構造においては、弾性部材は、棒状部材に遊嵌され、且つ、その両端が筒状部材の先端の端面と棒状部材の先端の鍔部に当接しうる管状のゴム部材からなるのが好ましい。
【００３３】
このようにすれば、弾性部材の外径を石突の内壁に接しない大きさにすることで、石突を取り付ける際における、杖を石突方向に押す操作において、弾性部材が弾性変形させられて石突の内壁に圧接するまでの間、弾性部材と石突の内壁との摩擦を回避することができる。その結果、石突を取り付ける際における、杖を石突方向に押すために必要な力を少なくすることができる。
【００３４】
また、本発明の杖の石突着脱構造においては、筒状部材は、当接部より石突側の先端に、石突側に向かって径が小さくなる円錐台形状の押圧部を有し、弾性部材は、棒状部材の先端の鍔部に固定された、ホゾ状のゴム部材からなるのが好ましい。
【００３５】
このようにすれば、石突を取り付ける際における、杖を石突方向に押す操作において、弾性部材を石突の内壁に押し込み易くすることができる。
【００３６】
また、本発明による杖の石突着脱ユニットは、上記本発明のいずれかの杖の石突着脱構造を備える。
このようにすれば、従来一般に用いられている杖をそのまま用いることができる。
【００３７】
また、本発明による杖の石突着脱ユニットは、杖のシャフト先端の内部に対し着脱可能な着脱機構を備えるのが好ましい。
このようにすれば、従来一般に用いられている杖に対し、杖の石突着脱ユニットを固定するための螺子穴をあけるなどの加工を施す必要がなく、そのまま用いることができる。
その結果、杖の製造者、販売者は、杖の石突着脱ユニットを取り付ける対象となる杖を任意に取り替えることが可能となり、製造コストを抑えることができる。
また、杖の使用者は、従来一般に使用されている杖を複数本所有している場合において、一組の杖の石突着脱ユニットを用いて、所望の杖を任意に選んで取り付けることができ、杖の石突着脱ユニットを複数組所有する必要がなく、経済的な負担を軽減することができる。
【００３８】
また、本発明の杖の石突着脱ユニットにおいては、着脱機構は、筒状部材の石突とは反対側の端部に固定された雄螺子部と、雄螺子部に螺合する雌螺子部を有し、且つ、筒状部材に向かって径が小さくなる円錐台形状の第１のテーパ部材と、雄螺子部における、筒状部材の石突とは反対側の端部と第１のテーパ部材との間に遊嵌され、両端部がホゾ状の開口を有する筒状の拡張部材と、雄螺子部における、筒状部材の石突とは反対側の端部と拡張部材との間に遊嵌されていて、石突とは反対側に向かって径が小さくなる円錐台形状の第２のテーパ部材を有してなるのが好ましい。
このようにすれば、杖のシャフト先端の内部に対し着脱可能な着脱機構を具現化できる。
【００３９】
また、本発明による杖は、上記本発明のいずれかの杖の石突着脱構造を備えている。
このようにすれば、杖の使用者は、極く簡単な操作で石突の着脱を容易に行うことができる。このため、取外し専用の器具が備えられている場所へ行ったり、専門業者に杖を送ったりする必要がなくなり、肉体的な負担が軽減され、また、石突の交換を依頼している間、予備の杖を使用しなければならない不便さから解放される。
また、従来の石突と同じ規格の石突を用いることができる。
さらに、従来一般的に使用されている杖に適用することで、一般的な石突を用いた杖を使用している多数の杖の使用者が、極く簡単な操作で石突を杖のシャフト先端から着脱可能な本発明の効果を得ることができるようになる。
【００４０】
また、本発明による杖は、上記本発明のいずれかの杖の石突着脱ユニットを備えたことを特徴としている。
このようにすれば、従来一般に用いられている杖をそのまま用いることができる。
【００４１】
従って、本発明によれば、極く簡単な操作で石突を杖のシャフト先端から着脱可能であり、しかも、従来一般的に使用されている石突と同じ規格の石突を用いることができ、さらには、従来一般的に使用されている杖にも適用可能で汎用性の高い、杖の石突着脱構造及びそれを備えた杖の石突着脱ユニット、並びにそれらを備えた杖が得られる。
【００４２】
以下、本発明の実施形態について、図面を用いて説明する。
第１実施形態
図１は本発明の第１実施形態にかかる杖の石突着脱構造及びそれを備えた杖の石突着脱ユニットの構成を概略的に示す説明図で、(a)は正面図、(b)は(a)に示した一部の部材を示す図、(c)は(a)に示した他の部材を示す図である。図２は本発明の第１実施形態にかかる杖の石突着脱構造及びそれを備えた杖の石突着脱ユニットを備えた杖を示す説明図で、(a)は石突を取り付けていない状態を示す図、(b)は石突を取り付けた状態を示す図である。図３は図１の杖の石突着脱構造及びそれを備えた杖の石突着脱ユニットにおける石突を取り外すときの状態の変化を示す図で、(a)は第２の状態が保持された状態を示す図、(b)は第２の状態が保持されながら弾性部材を含む先端部を他方の回転方向に回した状態を示す図、(c)は第２の状態が解除される位置まで弾性部材を含む先端部を他方の回転方向に回した状態を示す図、(d)は第２の状態が解除された始めの状態を示す図、(e)は第２の状態が解除されてから第１の状態になるまでの途中の状態を示す図、(f)は第１の状態に復帰した状態を示す図である。
なお、図１、図３では、見易さの便宜上、奥に隠れる部材の形状についても実線で示してある。
【００４３】
第１実施形態の杖の石突着脱構造及びそれを備えた杖の石突着脱ユニットは、図１(a)に示すように、筒状部材１１と、棒状部材１２と、バネ１３と、弾性部材１４を備えている。
筒状部材１１は、杖のシャフト先端の内部に挿入可能な外径を有するとともに、図１(b)に示すように、第１の係止部１１ａと、第２の係止部１１ｂと、当接部１１ｃを有している。
第１の係止部１１ａ、第２の係止部１１ｂは、筒状部材１１の壁面を開口されることによって形成されている。
第１の係止部１１ａは、棒状部材１２に備わる、後述の第１の被係止部１２ａを係止することができるように形成されている。
また、第２の係止部１１ｂは、棒状部材１２に備わる、後述の第２の被係止部１２ｂを係止することができるように形成されている。
当接部１１ｃは、筒状部材１１の先端近傍の所定位置に形成され、図２(a)、図２(b)に示すように、石突とは反対側の面が杖のシャフト先端の端面と当接するように、環状に突出している。
また、筒状部材１１の他端には、バネ１３の他端が取り付けられる蓋部材１１ｄが嵌められている。
【００４４】
棒状部材１２は、筒状部材１１の内部を往復移動可能に取り付けられていて、図１(c)に示すように、第１の被係止部１２ａと、第２の被係止部１２ｂを有している。
第１の被係止部１２ａは、棒状部材１２の外壁面から突出した状態で固定されている。
第２の被係止部１２ｂは、石突とは反対側に向かって高さが低くなるように傾斜した傾斜面１２ｂ１と、第２の係止部１１ｂに係止される被係止面１２ｂ２を有し、棒状部材１２の内部に設けられた第２のバネ（不図示）により突出方向に付勢されている。そして、第２の被係止部１２ｂは、棒状部材１２による石突とは反対の方向への移動に際し、傾斜面１２ｂ１が第２の係止部１１ｂに押圧されて押し込まれ、第２の係止部１１ｂによる押圧が解除されたときに突出し、被係止面１２ｂ２が第２の係止部１１ｂに係止されるようになっている。
また、棒状部材１２は、その先端が筒状部材１１の先端よりも石突側（図１では下側）に伸び、且つ、その先端に螺子止めされた鍔部１２ｃを有している。なお、鍔部１２は、先端に一体形成されていてもよい。
さらに、棒状部材１２は、石突とは反対側の先端近傍に、バネ１３の一端が取り付けられる環状部１２ｄを有している。
【００４５】
バネ１３は、他端が筒状部材１１の蓋部材１１ｄに接続するとともに、一端が棒状部材１２の環状部１２ｄに接続し、棒状部材１２を石突方向及び一方の回転方向（矢印Ａ方向）に付勢するように取り付けられている。
なお、バネ１３の付勢力は、石突方向への付勢力が一方の回転方向（矢印Ａ方向）への付勢力よりも格段に大きくなっている。また、バネ１３の一方の回転方向（矢印Ａ方向）への付勢力は、杖の使用者が、一方の手で杖のシャフト先端部分を把持し、他方の手で、石突が取り付けられた弾性部材を含む棒状部材１２の先端部を把持しながら、わずかな力をかけるだけで棒状部材１２を他方の回転方向（矢印Ｂ方向）へ回転させることができる程度に調整されている。
【００４６】
弾性部材１４は、棒状部材１２の先端と筒状部材１１の先端との間において、棒状部材１２に遊嵌され、且つ、その両端が筒状部材１１の先端の端面と棒状部材１２の先端の鍔部１２ｃに当接しうる管状のゴム部材で構成されている。そして、弾性部材１４は、初期状態では石突の内壁に圧接せず、弾性変形させられたときに石突の内壁に圧接しうるようになっている。
【００４７】
その他、第１実施形態の杖の石突着脱構造及びそれを備えた杖の石突着脱ユニットでは、筒状部材１１の先端と弾性部材１４との間に、筒状部材１1の先端と外径及び内径が等しい環状部材１５が棒状部材１２に遊嵌されており、筒状部材１１による弾性部材１４への押圧力が環状部材１５を介在して伝わるようになっている。
また、環状部材１５は、弾性部材１４が弾性変形して石突の内壁に圧接した状態（第２の状態）を被係止面１２ｂ２が第２の係止部１１ｂに係止されて保持された状態（図３(a)参照）の、石突が取り付けられた杖から石突を取り外すために、杖の使用者が、一方の手で杖のシャフト先端を把持しながら、他方の手で、石突を取り付けている弾性部材１４を含む先端部（即ち、弾性部材１４と棒状部材１２における先端の鍔部１２ｃから筒状部材１１の先端までの間の部分）を他方の回転方向（矢印Ｂ方向）に回したときに、弾性部材１４と筒状部材１1の先端の端面との摩擦を回避して、弾性部材１４を棒状部材１２とともに他方の回転方向（矢印Ｂ方向）に円滑に回転させる機能も有している。
即ち、石突を取り付けている弾性部材１４を含む先端部を他方の回転方向（矢印Ｂ方向）に回したとき、環状部材１５における弾性部材１４側の面と、弾性部材１４を構成する管状のゴム部材における環状部材１５側の端面との摩擦力が大きいため、環状部材１５には弾性部材１４とともに他方の回転方向（矢印Ｂ方向）に回転させられる力が与えられる。一方、環状部材１５における筒状部材１１側の面と、筒状部材１1の先端の端面との摩擦力は小さいため、環状部材１５は筒状部材１１の先端の端面によっては他方の回転方向（矢印Ｂ方向）に回転させられる力を阻害されない。その結果、弾性部材１４は、環状部材１５を介して棒状部材１２とともに他方の回転方向（矢印Ｂ方向）に円滑に回転させられる。
【００４８】
また、図１の例では、棒状部材１２における先端近傍の長手方向に沿う所定部位の外径は、第１の被係止部１２ａ、第２の被係止部１２ｂを有する部分の外径に比べて太い径を有している。また、棒状部材１２における環状部１２ｄの外径も、第１の被係止部１２ａ、第２の被係止部１２ｂを有する、長手方向に沿う所定部位の外径に比べて太い径を有している。
また、筒状部材１１は、棒状部材１２をガタツキなく往復移動させることの可能な大きさの内径を有している。
詳しくは、筒状部材１１における先端近傍の長手方向に沿う所定部位の内径は、棒状部材１２の先端近傍の長手方向に沿う所定部位の外径にガタツキなく往復移動させることの可能な大きさを有している。また、筒状部材１１における第１の係止部１１ａ、第２の係止部１１ｂを形成する開口を含む、長手方向に沿う所定部位の内径は、棒状部材１２の第１の被係止部１２ａ、第２の被係止部１２ｂを有する長手方向に沿う所定部位をガタツキなく往復移動させることの可能な大きさを有している。さらに、筒状部材１１における他端側の所定部位は、棒状部材１２の環状部１２ｄをガタツキなく往復移動させることの可能な大きさを有している。
なお、棒状部材１２の外径、筒状部材１１の内径は、図１の例に限定されるものでなく、筒状部材１１の内部を棒状部材１２がガタツキなく往復移動できれば、どのような大きさであってもよい。
また、筒状部材１１における第１の係止部１１ａ、第２の係止部１１ｂを形成する開口を含む、長手方向に沿う所定部位の内径は、棒状部材１２における先端近傍の長手方向に沿う所定部位の外径に比べて小さい径に形成されており、棒状部材１２による筒状部材１１の内部での石突とは反対方向への必要以上の移動を規制している。
【００４９】
また、図１の例では、さらに、筒状部材１１の他端の蓋部材１１ｄは、棒状部材１２をガタツキなく往復移動させることの可能な大きさの開口を有し、棒状部材１２は、筒状部材１１の他端の蓋部材１１ｄを貫通して伸びた構成となっている。
なお、第１実施形態の石突着脱構造及びそれを備えた杖の石突着脱ユニットは、図１の例とは異なり、蓋部材１１ｄに開口がなく、棒状部材１２が蓋部材１１ｄを貫通しない長さを有する構成であってもよい。
【００５０】
さらに、図１の例では、筒状部材１１の第２の係止部１１ｂの側面が、石突側に向かうにしたがって一方向へ傾斜している。また、第１の係止部１１ａ、第２の係止部１１ｂを形成する開口における第１の係止部１１ａ側の一部が、石突側に向かうにしたがって一方向へ傾斜する傾斜面を有している。
【００５１】
さらにまた、図１の例では、筒状部材１１の他端と、蓋部材１１ｄには、筒状部材１１の他端に蓋部材１１ｄを嵌め込んだ状態で、固定するための螺子穴（符号省略、図１(a)、図１(b)では小さな円で示されている）が、あけられている。また、図示はしないが、筒状部材１１には、図示しない杖のシャフト先端の内部に挿入した状態の、杖の石突着脱構造及びそれを備えた杖の石突着脱ユニットを、杖のシャフト先端とともに螺子止め固定可能な螺子穴があけられている。
【００５２】
また、さらに、図１の例では、筒状部材１１における第１の係止部１１ａ、第２の係止部１１ｂを形成する開口の一方の回転方向（矢印Ａ方向）側の壁面に対する、棒状部材１２における第１の被係止部１２ａ、第２の被係止部１２ｂの位置関係に関し、初期状態において、第１の被係止部１２ａのみが、開口の一方の回転方向（矢印Ａ方向）側の壁面に当接し、第２の被係止部１２ｂは開口の一方の回転方向（矢印Ａ方向）側の壁面には当接しない構成となっている。なお、初期状態において、第２の被係止部１２ｂも開口の一方の回転方向（矢印Ａ方向）側の壁面に当接する構成であってもよい。
【００５３】
このように構成された第１実施形態の杖の石突着脱構造及びそれを備えた杖の石突着脱ユニットを杖のシャフト先端の内部に挿入し、シャフト先端に螺子穴をあけて筒状部材１１にあけられた螺子穴とともに螺子止めする等して固定することで、例えば、図２(a)に示すような、石突３０を取り付けていない状態の杖となる。そして、杖の先端に石突３０を取り付けることで、図２(b)に示すような杖となる。なお、図２中、２０は杖、２１は杖の柄、２２は杖のシャフト、２２ａは杖のシャフト先端である。
【００５４】
ここで、第１実施形態の杖の石突着脱構造及びそれを備えた杖の石突着脱ユニットにおける、図２(a)に示すような、石突を取り付けていない杖に石突を取り付けるときの作用と、図２(b)に示すような、石突が取り付けられた杖から石突を取り外すときの作用について、図３を用いて説明する。なお、図３では便宜上、杖のシャフト先端及び石突は図示を省略してある。また、図３(a)〜図３(f)の夫々における上部には、筒状部材１１における第１の係止部１１ａ、第２の係止部１１ｂを形成する開口に対する棒状部材１２における第１の被係止部１２ａ、第２の被係止部１２ｂの回転方向の位置関係を示す横断面図を付加してある。
【００５５】
第１実施形態の杖の石突着脱構造及びそれを備えた杖の石突着脱ユニットでは、石突を取り付けていない初期状態において、バネ１３により石突方向及び一方の回転方向（矢印Ａ方向）に付勢されている棒状部材１２の第１の被係止部１２ａを筒状部材１１の第１の係止部１１ａが係止して、弾性部材１４が石突の内壁に圧接しない第１の状態を保持している（図３(f)参照）。このとき、第１の被係止部１２ａは、第１の係止部１１ａを形成する開口の石突側の壁面及び一方の回転方向（矢印Ａ方向）側の壁面に当接している。
【００５６】
図２(a)に示すような、石突を取り付けていない状態の杖に対し、石突を取り付けるときは、杖の使用者は、石突を配置後に、杖の柄を把持しながら体重をかけて、杖を石突方向に押す。
すると、筒状部材１１が石突方向に移動し、相対的に棒状部材１２が石突とは反対の方向に移動する。
ここで、棒状部材１２が石突とは反対の方向に移動すると、筒状部材１１の第１の係止部１１ａを形成する開口の石突側の壁面による棒状部材１２の第１の被係止部１２ａに対する係止が解除される。次いで、第２の被係止部１２ｂの傾斜面１２ｂ１が第２の係止部１１ｂに接触し、棒状部材１２が石突とは反対の方向に移動するにしたがって、第２の係止部１１ｂに押圧されて、第２の被係止部１２ｂは、棒状部材１２の内部に押し込まれる。さらに、棒状部材１２が石突とは反対の方向に移動して第２の係止部１１ｂによる押圧が解除されたときに、第２の被係止部１２ｂは、第２のバネ（不図示）の付勢力により棒状部材１２の外周面上に突出する。そして、被係止面１２ｂ２が第２の係止部１１ｂに係止される。このとき、バネ１３は、石突方向及び一方の回転方向（矢印Ａ方向）に付勢されており、特に、棒状部材１２が石突とは反対の方向に移動していることにより圧縮されて、石突方向への付勢力が強められているため、被係止面１２ｂ２が第２の係止部１１ｂに係止された状態が保持される。また、第１の被係止部１２ａは、第１の係止部１１ａを形成する開口の一方の回転方向（矢印Ａ方向）側の壁面に当接した状態を保っている。
また、筒状部材１１が石突方向に移動すると、弾性部材１４を構成する管状のゴム部材の端面が棒状部材１２の先端の鍔部１２ｃに当接した状態で筒状部材１１の先端の端面からの押圧力を、環状部材１５を介在しながら受けて、弾性変形してゆき、石突の内壁に圧接した第２の状態となる。
このとき、上述のように被係止面１２ｂ２が第２の係止部１１ｂに係止された状態が保持されるため、第２の状態が保持される（図３(a)参照）。
その結果、杖の使用者は、体重をかけるだけで簡単に石突を杖のシャフト先端に取り付けることができる。
【００５７】
次に、石突が取り付けられた杖から石突を取り外すときは、図３(a)に示した、第２の状態において、杖の使用者は、一方の手で杖のシャフト先端を把持しながら、他方の手で、石突を取り付けている弾性部材１４を含む先端部（即ち、弾性部材１４と棒状部材１２における先端の鍔部１２ｃから筒状部材１１の先端までの間の部分）を他方の回転方向（矢印Ｂ方向）に回す。
すると、棒状部材１２の被係止面１２ｂ２が第２の係止部１１ｂに係止された状態を保ちながら、第２の係止部１１ｂを他方の回転方向（矢印Ｂ方向）にスライドし、棒状部材１２が他方の回転方向に移動する（図３(b)参照）。また、第１の被係止部１２ａは、第１の係止部１１ａを形成する開口の一方の回転方向（矢印Ａ方向）側の壁面から離れる。
そして、棒状部材１２の被係止面１２ｂ２が第２の係止部１１ｂに係止されない位置まで、棒状部材１２が他方の回転方向（矢印Ｂ方向）に移動する（図３(c)参照）と、棒状部材１２は、バネ１３の石突方向への付勢力を受けて、石突方向に移動を開始する（図３(d)参照）。このとき、棒状部材１２は、バネ１３の一方向への付勢力を受けており、棒状部材１２の第２の被係止部１２ｂの側面が筒状部材１１の第２の係止部１１ｂの側面に当接しながら移動する。なお、本実施形態では、筒状部材１１の第２の係止部１１ｂの側面が、石突側に向かうにしたがって一方向へ傾斜しており、棒状部材１２の第２の被係止部１２ｂの側面の、筒状部材１１の第２の係止部１１ｂの側面との引っ掛かりが防止される。
棒状部材１２の第２の被係止部１２ｂの側面が、筒状部材１１の第２の係止部１１ｂの側面により当接されない位置に到達したとき、棒状部材１２は、バネ１３により石突方向及び一方の回転方向（矢印Ａ方向）に移動し、初期位置に復帰する（図３(e)、図３(f)参照）。なお、本実施形態では、第１の係止部１１ａ、第２の係止部１１ｂを形成する開口における第１の係止部１１ａ側の一部が、石突側に向かうにしたがって一方向へ傾斜する傾斜面を有しており、第１の被係止部１２ａが傾斜面をスライドして復帰時の衝撃が緩和される（図３(e)参照）。
【００５８】
また、棒状部材１２が初期位置まで石突方向に移動するにしたがい、筒状部材１１の先端の端面と棒状部材１２の先端の鍔部１２ｃとの距離が離れてゆき、筒状部材１１の先端の端面による弾性部材１４への押圧力が弱まり、棒状部材１２が初期位置に到達したときには、弾性部材１４は、筒状部材１１の先端の端面による押圧を解除されて、元の形状に復帰し、第２の状態が解除される。
初期位置に復帰したとき、上述のようにバネ１３により石突方向及び一方の回転方向（矢印Ａ方向）に付勢されている棒状部材１２の第１の被係止部１２ａを筒状部材１１の第１の係止部１１ａが係止するため、弾性部材１４が石突の内壁に圧接しない第１の状態が保持される（図３(f)参照）。
その結果、杖の使用者は、石突を取り付けている弾性部材１４を含む先端部を手でわずかに回すだけで簡単に石突を杖のシャフト先端から取り外すことができる。
【００５９】
本実施形態の杖の石突着脱構造及びそれを備えた杖の石突着脱ユニットによれば、杖の使用者は、極く簡単な操作で石突の着脱を容易に行うことができる。そして、杖の使用者は、極く簡単な操作で石突の着脱を容易に行うことができる結果、取外し専用の器具が備えられている場所へ行ったり、専門業者に杖を送ったりする必要がなくなり、肉体的な負担が軽減され、また、石突の交換を依頼している間、予備の杖を使用しなければならない不便さから解放される。
【００６０】
また、本実施形態の杖の石突着脱構造及びそれを備えた杖の石突着脱ユニットによれば、弾性部材１４を弾性変形させて石突の内壁に圧接した状態にすることができるため、特許文献２に記載の杖のような、石突の径を大きくし、あるいは凹部を形成する等、従来一般に用いられている石突とは異なる特別な構造や規格の石突を用いる必要がなく、従来の石突と同じ規格の石突を用いることができる。
【００６１】
また、本実施形態の杖の石突着脱構造及びそれを備えた杖の石突着脱ユニットによれば、杖のシャフト先端の内部に挿入できる構成となっているため、従来一般的に使用されている杖にも適用できる。そして、従来一般的に使用されている杖に適用することで、一般的な石突を用いた杖を使用している多数の杖の使用者が、極く簡単な操作で石突を杖のシャフト先端から着脱可能な本発明の効果を得ることができるようになる。
【００６２】
また、本実施形態の杖の石突着脱構造及びそれを備えた杖の石突着脱ユニットによれば、第２の被係止部１２ｂは、石突とは反対側に向かって高さが低くなるように傾斜した傾斜面１２ｂ１と、第２の係止部１１ｂに係止される被係止面１２ｂ２を有し、棒状部材１２の内部から第２のバネ（不図示）により突出方向に付勢されていて、棒状部材１２による石突とは反対の方向への移動に際し、傾斜面１２ｂ１が第２の係止部１１ｂに押圧されて押し込まれ、第２の係止部１１ｂによる押圧が解除されたときに突出し、被係止面１２ｂ２が第２の係止部１１ｂに係止されるように構成したので、石突を取り付けて、その状態を保持するために行う、杖を石突方向に押す操作がし易くなる。
【００６３】
また、本実施形態の杖の石突着脱構造及びそれを備えた杖の石突着脱ユニットによれば、弾性部材１４は、棒状部材１２に遊嵌され、且つ、その両端が筒状部材１１の先端の端面と棒状部材１２の先端の鍔部１２ｃに当接しうる管状のゴム部材で構成したので、弾性部材１４の外径を石突の内壁に接しない大きさにすることで、石突を取り付ける際における、杖を石突方向に押す操作において、弾性部材１４が弾性変形させられて石突の内壁に圧接するまでの間、弾性部材１４と石突の内壁との摩擦を回避することができる。その結果、石突を取り付ける際における、杖を石突方向に押すために必要な力を少なくすることができる。
【００６４】
第２実施形態
図４は本発明の第２実施形態にかかる杖の石突着脱構造及びそれを備えた杖の石突着脱ユニットにおける特徴的な構成を概略的に示す部分説明図である。
第２実施形態の杖の石突着脱構造及びそれを備えた杖の石突着脱ユニットでは、筒状部材１１は、当接部１１ｃより石突側の先端に、石突側に向かって径が小さくなる円錐台形状の押圧部１１ｅを有している。
また、弾性部材１４は、棒状部材１２の先端の鍔部１２ｃに固定された、ホゾ状のゴム部材で構成されている。
その他の構成は、第１実施形態の杖の石突着脱構造及びそれを備えた杖の石突着脱ユニットと略同じである。
【００６５】
このように構成された第２実施形態の杖の石突着脱構造及びそれを備えた杖の石突着脱ユニットでは、石突を取り付けていない状態の杖に対し、石突を取り付けるときに、杖の使用者が、把持した杖に体重をかけて、杖を石突方向に押すと、筒状部材１１が石突方向に移動し、相対的に棒状部材１２が石突とは反対の方向に移動する。
ここで、棒状部材１２が石突とは反対の方向に移動するときの棒状部材１２の第１の被係止部１２ａ、第２の被係止部１２ｂと、筒状部材１１の第１の係止部１１ａ、第２の係止部１１ｂとの係止解除及び係止に関する動作は、第１実施形態の杖の石突着脱構造及びそれを備えた杖の石突着脱ユニットと略同じである。
筒状部材１１が石突方向に移動すると、弾性部材１４を構成するホゾ状のゴム部材が、筒状部材１１の円錐台形状の押圧部１１ｅの側面からの押圧力を受けて、弾性変形してゆき、石突の内壁に圧接した第２の状態となる。
このとき、第１実施形態の杖の石突着脱構造及びそれを備えた杖の石突着脱ユニットと同様、被係止面１２ｂ２が第２の係止部１１ｂに係止された状態が保持されるため、第２の状態が保持される。
【００６６】
次に、石突が取り付けられた杖から石突を取り外すときに、第２の状態において、杖の使用者が、石突を取り付けている弾性部材１４を含む先端部（即ち、弾性部材１４と棒状部材１２における先端の鍔部１２ｃから筒状部材１１の先端までの間の部分）を他方の回転方向（図１(a)、図３(f)に示した矢印Ｂ方向）に回すときの、棒状部材１２の第２の被係止部１２ｂ、第１の被係止部１２ａと、筒状部材１１の第２の係止部１１ｂ、第１の係止部１１ａとの係止解除及び係止に関する動作は、第１実施形態の杖の石突着脱構造及びそれを備えた杖の石突着脱ユニットと略同じである。
また、棒状部材１２が初期位置まで石突方向に移動するにしたがい、筒状部材１１の円錐台形状の押圧部１１ｅと棒状部材１２の先端に固定された、ホゾ状のゴム部材の接触面とが離れてゆき、筒状部材１１の円錐台形状の押圧部１１ｅの側面による弾性部材１４への押圧力が弱まり、棒状部材１２が初期位置に到達したときには、弾性部材１４は、筒状部材１１の先端の端面による押圧を解除されて、元の形状に復帰し、第２の状態が解除される。
初期位置に復帰したとき、第１実施形態の杖の石突着脱構造及びそれを備えた杖の石突着脱ユニットと同様、バネ１３により石突方向及び一方の回転方向（図１(a)、図３(f)に示した矢印Ａ方向）に付勢されている棒状部材１２の第１の被係止部１２ａを筒状部材１１の第１の係止部１１ａが係止するため、弾性部材１４が石突の内壁に圧接しない第１の状態が保持される。
【００６７】
第２実施形態の杖の石突着脱構造及びそれを備えた杖の石突着脱ユニットによれば、石突を取り付ける際における、杖を石突方向に押す操作において、弾性部材を石突の内壁に押し込み易くすることができる。その結果、石突を取り付ける際における、杖を石突方向に押す力を少なくすることができる。
その他の効果は、第１実施形態の杖の石突着脱構造及びそれを備えた杖の石突着脱ユニットと略同じである。
【００６８】
第３実施形態
図５は本発明の第３実施形態にかかる杖の石突着脱構造を備えた杖の石突着脱ユニットにおける特徴的な構成を概略的に示す説明図である。
第３実施形態の杖の石突着脱ユニットは、杖のシャフト先端の内部に対し着脱可能な着脱機構を備えている。なお、第３実施形態の杖の石突着脱構造を備えた杖の石突着脱ユニットでは、図１の例とは異なり、蓋部材１１ｄに開口がなく、棒状部材１２が蓋部材１１ｄを貫通しない長さを有する構成となっている。
着脱機構は、雄螺子部１１ｆと、第１のテーパ部材１１ｇと、拡張部材１１ｈと、第２のテーパ部材１１ｉを有して構成されている。
雄螺子部１１ｆは、筒状部材１１の石突とは反対側の端部（図５の例では蓋部材１１ｄ）に固定されている。
第１のテーパ部材１１ｇは、その内部に雄螺子部１１ｆに螺合する雌螺子部１１ｇ１を有している。また、第１のテーパ部材１１ｇの外形は、石突側に向かって径が小さくなる円錐台形状に形成されている。
なお、第１のテーパ部材１１ｇは、石突とは反対側の端部の外径が、杖のシャフト先端の内壁から適度の圧力を受けて、回転しない程度の大きさを有している。
拡張部材１１ｈは、雄螺子部１１ｆにおける、筒状部材１１の石突とは反対側の端部と第１のテーパ部材１１ｇとの間に遊嵌され、両端部がホゾ状の開口を有する筒状に形成されている。
第２のテーパ部材１１ｉは、雄螺子部１１ｆにおける、筒状部材１１の石突とは反対側の端部と拡張部材１１ｈとの間に遊嵌されていて、その外形が石突とは反対側に向かって径が小さくなる円錐台形状に形成されている。
その他の構成は、第１実施形態の杖の石突着脱構造を備えた杖の石突着脱ユニットと略同じである。
【００６９】
第３実施形態の杖の石突着脱構造を備えた杖の石突着脱ユニットは、杖の石突着脱構造を備えていない杖に対し、螺子穴をあけるなどの加工を施すことなく、杖のシャフト先端の内部に挿入し、固定することができる。
詳しくは、杖の製造者又は杖の使用者は、杖の石突着脱構造を備えた杖の石突着脱ユニットを、杖のシャフト先端の内部に挿入する。挿入した杖の石突着脱ユニットは、筒状部材１１の当接部１１ｃがシャフト先端の端面と当接する。また、第１のテーパ部材１１ｇは、石突側の端部が、杖のシャフト先端の内壁から適度の圧力を受けて、回転しない状態となる。
挿入後、筒状部材１１を一方向に回す。すると、雄螺子部１１ｆと螺合する雌螺子部１１ｇ１を介して第１のテーパ部材１１ｇが、石突側に向かって移動し、拡張部材１１ｈにおける石突とは反対側のホゾ状の開口の内壁を押圧し、拡張部材１１ｈの石突とは反対側の端部を拡張させる。また、このとき、拡張部材１１ｈ全体が石突とは反対側に押圧されることにより、相対的に第２のテーパ部材１１ｉが、拡張部材１１ｈにおける石突側のホゾ状の開口の内壁を押圧し、拡張部材１１ｈの石突側の端部を拡張させる。拡張部材１１ｈが拡張すると、杖のシャフト先端の内壁に拡張部材１１ｈが圧着する。その結果、杖の石突着脱構造を備えた杖の石突着脱ユニットが、杖のシャフト先端の内部に挿入された状態で、固定される。
【００７０】
なお、杖のシャフト先端の内部に挿入され、固定された状態の杖の石突着脱構造を備えた杖の石突着脱ユニットを、杖のシャフト先端の内部から取り外す場合は、筒状部材１１を他方向に回す。すると、雄螺子部１１ｆと螺合する雌螺子部１１ｇ１を介して第１のテーパ部材１１ｇが、石突とは反対側に向かって移動し、拡張部材１１ｈにおける石突とは反対側のホゾ状の開口の内壁に対する押圧を解除し、拡張部材１１ｈの石突とは反対側の端部を縮小させる。また、このとき、拡張部材１１ｈ全体が石突とは反対側の押圧も解除されることにより、相対的に第２のテーパ部材１１ｉも、拡張部材１１ｈにおける石突側のホゾ状の開口の内壁の押圧を解除し、拡張部材１１ｈの石突側の端部を縮小させる。拡張部材１１ｈが縮小すると、杖のシャフト先端の内壁に対する拡張部材１１ｈの圧着が解除される。これにより、石突着脱構造を備えた杖の石突着脱ユニットを、杖のシャフト先端の内部から取り外すことができる。
【００７１】
第３実施形態の杖の石突着脱構造を備えた杖の石突着脱ユニットによれば、従来一般に用いられている杖に対し、杖の石突着脱ユニットを固定するための螺子穴をあけるなどの加工を施すことなく、そのまま用いることができる。
その結果、杖の製造者、販売者は、杖の石突着脱ユニットを取り付ける対象となる杖を任意に取り替えることが可能となり、製造コストを抑えることができる。
また、杖の使用者は、従来一般に使用されている杖を複数本所有している場合において、一組の杖の石突着脱ユニットを用いて、所望の杖を任意に選んで取り付けることができ、杖の石突着脱ユニットを複数組所有する必要がなく、経済的な負担を軽減することができる。
【００７２】
以上、本発明の実施形態の杖の石突着脱構造及びそれを備えた杖の石突着脱ユニット、並びにそれらを備えた杖について説明したが、本発明は、図示した上述の実施形態の構成に限定されるものではなく、本発明の技術的範囲に属する形態であれば、どのような形態に形成されていてもよい。
【産業上の利用可能性】
【００７３】
本発明の杖の石突着脱構造及びそれを備えた杖の石突着脱ユニット、並びにそれらを備えた杖は、杖を用いて歩行することが必要とされるあらゆる分野に有用である。
【符号の説明】
【００７４】
１１          筒状部材
１１ａ        第１の係止部
１１ｂ        第２の係止部
１１ｃ        当接部
１１ｄ        蓋部材
１１ｅ        円錐台形状の押圧部
１１ｆ        雄螺子部
１１ｇ        第１のテーパ部材
１１ｇ１      雌螺子部
１１ｈ        拡張部材
１１ｉ        第２のテーパ部材
１２          棒状部材
１２ａ        第１の被係止部
１２ｂ        第２の被係止部
１２ｂ１      傾斜面
１２ｂ２      被係止面
１２ｃ        鍔部
１２ｄ        環状部
１３          バネ
１４          弾性部材
１５          環状部材
２０          杖
２１          杖の柄
２２          シャフト
２２ａ        シャフト先端
３０          石突
５１          踏み板部
５２          引っ掛け溝
５３          杖
５４          石突
６１          杖のシャフト先端
６２          弾性部材
６３          取付部
６３ａ        凸部
６４          石突
６４ａ        凹部
【図１】
2019115412.tif 000003
【図２】
2019115412.tif 000004
【図３】
2019115412.tif 000005
【図４】
2019115412.tif 000006
【図５】
2019115412.tif 000007
【図６】
2019115412.tif 000008
【図７】
2019115412.tif 000009
【図８】
2019115412.tif 000010